(57)【要約】【課題】エンジン駆動コンプレッサと電動コンプレッサとを備えるハイブリッドタイプのヒートポンプにおいて、電力消費が瞬間的に大きくなることを防止するための構成を提供する。【解決手段】ヒートポンプは、エンジンと、電動コンプレッサと、電動コンプレッサ以外の電動アクチュエータと、制御部と、を備える。制御部は、エンジン始動タイミングにおいて、電動コンプレッサ及び電動アクチュエータのうち少なくとも何れかについて、出力を低下させるか出力を維持し、当該エンジンの始動後に出力を上昇させるエンジン始動制御と、電動コンプレッサの始動タイミングにおいて、電動アクチュエータについて、出力を低下させるか出力を維持し、当該電動コンプレッサの始動後に出力を上昇させる電動コンプレッサ始動制御と、のうち少なくとも何れかの制御を行う。【選択図】図３
2018162948.tif 000002
【特許請求の範囲】
【請求項１】
スタータモータによって始動されるとともに、エンジン駆動コンプレッサを駆動するエンジンと、
コンプレッサモータによって駆動される電動コンプレッサと、
前記コンプレッサモータ及び前記電動コンプレッサ以外の電動アクチュエータと、
エンジン始動タイミングにおいて、前記電動コンプレッサ及び前記電動アクチュエータのうち少なくとも何れかについて、出力を低下させるか出力を維持し、当該エンジンの始動後に出力を上昇させるエンジン始動制御と、電動コンプレッサ始動タイミングにおいて、前記電動アクチュエータについて、出力を低下させるか出力を維持し、当該電動コンプレッサの始動後に出力を上昇させる電動コンプレッサ始動制御と、のうち少なくとも何れかの制御を行う制御部と、
を備えることを特徴とするヒートポンプ。
【請求項２】
請求項１に記載のヒートポンプであって、
前記制御部は、
前記エンジン始動制御を行う場合は、エンジン始動タイミングにおいて、駆動中の前記電動コンプレッサ及び前記電動アクチュエータのうち少なくとも何れかについて出力を一時的に低下させ、
前記電動コンプレッサ始動制御を行う場合は、電動コンプレッサ始動タイミングにおいて、駆動中の前記電動アクチュエータの出力を一時的に低下させることを特徴とするヒートポンプ。
【請求項３】
請求項１又は２に記載のヒートポンプであって、
前記電動アクチュエータには、熱交換を行うための複数のファンが含まれており、
前記制御部は、前記エンジン始動制御及び前記電動コンプレッサ始動制御の少なくとも何れかを行う際において、前記エンジン又は前記電動コンプレッサの始動後に、少なくとも１つの前記ファンの出力を上昇させた後に、残りの１又は複数の前記ファンの出力を上昇させることを特徴とするヒートポンプ。
【発明の詳細な説明】
【技術分野】
【０００１】
本発明は、エンジンにより駆動されるエンジン駆動コンプレッサと、コンプレッサモータにより駆動される電動コンプレッサと、を備えるヒートポンプに関する。
【背景技術】
【０００２】
従来から、エンジン駆動コンプレッサと電動コンプレッサとを備えるハイブリッドタイプのヒートポンプが知られている。特許文献１及び２は、このハイブリッドタイプのヒートポンプを開示する。
【０００３】
特許文献１には、エンジン駆動コンプレッサ（第１圧縮機）を用いるガスヒートポンプ調和機と、電動コンプレッサ（第２圧縮機）を用いる電気式ヒートポンプ調和機と、の出力のバランスを空調負荷に応じて決定することが記載されている。また、特許文献１には、ガスヒートポンプ調和機の効率又は寿命を重視する制御と、電気式ヒートポンプ調和機の寿命及び契約電力量（電力消費）の上昇を抑えることを重視する制御と、を切り替えることが記載されている。
【０００４】
特許文献２には、予め定められたスケジュールに応じて、ガスヒートポンプ調和機と電気式ヒートポンプ調和機を駆動することが記載されている。また、特許文献２には、ガスヒートポンプ調和機と電気式ヒートポンプ調和機の何れか一方のみを駆動することが記載されている。
【先行技術文献】
【特許文献】
【０００５】
【特許文献１】特開２００７−１８７３４２号公報
【特許文献２】特開２０１２−７８６７号公報
【発明の概要】
【発明が解決しようとする課題】
【０００６】
しかし、特許文献１及び２では、電力消費の上昇を抑えるために、ガスヒートポンプ調和機と電気式ヒートポンプ調和機の出力割合を調整することしか記載されていない。ここで、電力消費が瞬間的にのみ大きくなる場合であっても、電力消費の大きさに応じた設備又は電気契約等が必要となる。
【０００７】
本発明は以上の事情に鑑みてされたものであり、その主要な目的は、エンジン駆動コンプレッサと電動コンプレッサとを備えるハイブリッドタイプのヒートポンプにおいて、電力消費が瞬間的に大きくなることを防止するための構成を提供することにある。
【課題を解決するための手段及び効果】
【０００８】
本発明の解決しようとする課題は以上の如くであり、次にこの課題を解決するための手段とその効果を説明する。
【０００９】
本発明の観点によれば、以下の構成のヒートポンプが提供される。即ち、このヒートポンプは、エンジンと、電動コンプレッサと、コンプレッサモータ及び電動コンプレッサ以外の電動アクチュエータと、制御部と、を備える。前記エンジンは、スタータモータによって始動されるとともに、エンジン駆動コンプレッサを駆動する。前記電動コンプレッサは、コンプレッサモータによって駆動される。前記制御部は、エンジン始動タイミングにおいて、前記電動コンプレッサ及び前記電動アクチュエータのうち少なくとも何れかについて、出力を低下させるか出力を維持し、当該エンジンの始動後に出力を上昇させるエンジン始動制御と、電動コンプレッサ始動タイミングにおいて、前記電動アクチュエータについて、出力を低下させるか出力を維持し、当該電動コンプレッサの始動後に出力を上昇させる電動コンプレッサ始動制御と、のうち少なくとも何れかの制御を行う。
【００１０】
上記の構成によれば、エンジン始動タイミング又は電動コンプレッサ始動タイミングにおいて、他の電気機器の出力を低下させたり始動を待機させたりすることにより、電力消費が一時に集中することを防止できるので、電力消費が瞬間的に大きくなることを防止できる。
【００１１】
前記のヒートポンプにおいては、以下の構成とすることが好ましい。即ち、前記エンジン始動制御を行う場合は、エンジン始動タイミングにおいて、駆動中の前記電動コンプレッサ及び前記電動アクチュエータのうち少なくとも何れかについて出力を一時的に低下させる。前記電動コンプレッサ始動制御を行う場合は、電動コンプレッサ始動タイミングにおいて、駆動中の前記電動アクチュエータの出力を一時的に低下させる。
【００１２】
これにより、電動コンプレッサ又は電動アクチュエータが駆動中であっても、一時的に出力を低下させることで、電力消費が一時に集中することを防止できるので、電力消費が瞬間的に大きくなることを防止できる。
【００１３】
前記のヒートポンプにおいては、以下の構成とすることが好ましい。即ち、前記電動アクチュエータには、熱交換を行うための複数のファンが含まれている。前記制御部は、前記エンジン始動制御及び前記電動コンプレッサ始動制御の少なくとも何れかを行う際において、前記エンジン又は前記電動コンプレッサの始動後に、少なくとも１つの前記ファンの出力を上昇させた後に、残りの１又は複数の前記ファンの出力を上昇させる。
【００１４】
これにより、複数のファンの出力を上昇させるタイミングを異ならせることで、電力消費が一時に集中することを防止できるので、電力消費が瞬間的に大きくなることを防止できる。
【図面の簡単な説明】
【００１５】
【図１】本発明の一実施形態に係るヒートポンプの冷媒回路図。
【図２】ヒートポンプの電気的な構成を示すブロック図。
【図３】電動コンプレッサが駆動していない状態でエンジンを始動させる場合のタイミングチャート。
【図４】エンジンが駆動していない状態で電動コンプレッサを始動させる場合のタイミングチャート。
【図５】電動コンプレッサが駆動している状態でエンジンを始動させる場合のタイミングチャート。
【図６】エンジンが駆動している状態で電動コンプレッサを始動させる場合のタイミングチャート。
【発明を実施するための形態】
【００１６】
次に、図面を参照して本発明の実施形態を説明する。初めに、図１を参照して、実施形態に係るヒートポンプ１が組み込まれた建物用の空気調和器について説明する。図１は、ヒートポンプ１の冷媒回路図である。
【００１７】
図１に示すように、ヒートポンプ１は、室外機１０と、室内機５０と、を備える。ヒートポンプ１は、室外機１０の室外熱交換器２２と、室内機５０の室内熱交換器５１と、の間で冷媒を介して熱交換を行うことで、室内機５０が設置された室内の空気の温度を上昇させたり下降させたりすることができる。
【００１８】
室外機１０は、動力源として、エンジン１２及びコンプレッサモータ１５を備える。エンジン１２は、ガスエンジンであり、供給されたガスを燃焼させることで動力を発生させて２つのエンジン駆動コンプレッサ１３を駆動する。なお、エンジン１２が駆動するエンジン駆動コンプレッサ１３の数は１つであっても良いし、３つ以上であっても良い。また、エンジン１２の燃料はガスに限られず、例えばガソリン又は軽油であっても良い。
【００１９】
コンプレッサモータ１５は、供給された電力を用いて動力を発生させて１つの電動コンプレッサ１６を駆動する。なお、コンプレッサモータ１５は、複数の電動コンプレッサ１６を駆動する構成であっても良い。このように、本実施形態のヒートポンプ１は、エンジン及び電動モータでコンプレッサを駆動するハイブリッドタイプのヒートポンプである。なお、ヒートポンプ１は、複数のエンジン１２及び／又は複数のコンプレッサモータ１５を備える構成であっても良い。
【００２０】
エンジン駆動コンプレッサ１３及び電動コンプレッサ１６は、アキュムレータ１１からガス状態の冷媒を吸入する。アキュムレータ１１は、ガス状態の冷媒を貯留するための部材である。アキュムレータ１１内では、冷媒は低温かつ低圧のガス状態である。アキュムレータ１１内の冷媒は、エンジン駆動コンプレッサ１３及び電動コンプレッサ１６により圧縮されることで、高温かつ高圧のガス状態となる。エンジン駆動コンプレッサ１３は、第１逆止弁１４を介して、この冷媒をオイルセパレータ２０へ吐出する。また、電動コンプレッサ１６は、第２逆止弁１７を介して、この冷媒をオイルセパレータ２０へ吐出する。
【００２１】
オイルセパレータ２０は、ガス状の冷媒から、エンジン駆動コンプレッサ１３及び電動コンプレッサ１６用の潤滑油を分離する。この分離された潤滑油は、図略の回路によってエンジン駆動コンプレッサ１３及び電動コンプレッサ１６に戻される。また、オイルセパレータ２０によって潤滑油が分離されたガス状の冷媒は、四方弁２１へ供給される。
【００２２】
四方弁２１には、４つのポートが形成されており、暖房時と冷房時とで冷媒の供給先を異ならせる。初めに、暖房時の冷媒の流れについて説明する。
【００２３】
暖房時において、四方弁２１は、図１に実線に示すように室内熱交換器５１へガス状の冷媒を供給する。室内熱交換器５１では、冷媒から室内の空気へ熱を移動させる熱交換が行われる。この熱交換により、室内の空気の温度が上昇する。また、冷媒は、この熱交換により、低温かつ高圧の液状に変化する。なお、図１では、２つの室内熱交換器５１を備える構成であるが、室内熱交換器５１は、１つであっても良いし、３つ以上であっても良い。室内熱交換器５１で熱交換されて液状となった冷媒は、第３逆止弁２６を経由してレシーバ２３へ供給される。
【００２４】
レシーバ２３は、液状の冷媒を貯留するための部材である。レシーバ２３へ供給された冷媒は、第４逆止弁２７を経由した後に、第１膨張弁３１又は第２膨張弁３２を経由して、室外熱交換器２２へ供給される。また、液状の冷媒は、第１膨張弁３１又は第２膨張弁３２を通過することにより、霧状かつ低圧となる。なお、本実施形態に係るヒートポンプ１では、２つの室外熱交換器２２が設けられているが、室外熱交換器２２の数は１つであっても良いし、３つ以上であってもよい。
【００２５】
室外熱交換器２２では、外気から冷媒へ熱を移動させる熱交換が行われる。この熱交換により、冷媒がガス状に変化する。このガス状の冷媒は、四方弁２１を介してアキュムレータ１１に供給される。アキュムレータ１１では、ガス状の冷媒が貯留される。
【００２６】
次に、冷房時の冷媒の流れについて説明する。冷房時において、四方弁２１は、図１に鎖線に示すように室外熱交換器２２へガス状の冷媒を供給する。室外熱交換器２２では、冷媒から外気へ熱を移動させる熱交換が行われる。この熱交換により、冷媒は、低温かつ高圧の液状に変化する。室外熱交換器２２で熱交換されて液状となった冷媒は、第５逆止弁２８を経由してレシーバ２３へ供給される。
【００２７】
レシーバ２３へ供給された液状の冷媒は、室内熱交換器５１へ供給される。室内熱交換器５１では、室内の空気から冷媒へ熱を移動させる熱交換が行われる。この熱交換により、室内の空気の温度が下降する。また、冷媒は、この熱交換により、低温かつ低圧のガス状に変化する。室内熱交換器５１で熱交換された冷媒は、四方弁２１を介してアキュムレータ１１に供給される。アキュムレータ１１では、ガス状の冷媒が貯留される。
【００２８】
次に、図２を参照して、ヒートポンプ１の電気的な構成について説明する。図２は、ヒートポンプ１の電気的な構成を示すブロック図である。また、以下の説明では、電気で駆動されるアクチュエータのうち、電動コンプレッサ１６及びコンプレッサモータ１５を除いたものを単に「電動アクチュエータ」と称することがある。
【００２９】
図２に示すように、ヒートポンプ１は、メイン制御部６１を備える。メイン制御部６１は、ＣＰＵ、ＲＡＭ、及びＲＯＭ等を備えたコンピュータであり、ＲＯＭに記憶されたプログラムをＲＡＭに読み出して実行することで、ヒートポンプ１の各部を制御する。具体的には、図２に示すように、メイン制御部６１は、冷却水ポンプ１２ａと、スタータモータ１２ｂと、コンプレッサモータ１５と、第１ファン７１〜第３ファン７３と、の動作を制御する。メイン制御部６１が行う具体的な動作の制御は、各部の駆動の有無を変化させること、及び、駆動時の出力を変化させることである。
【００３０】
冷却水ポンプ１２ａは、エンジン１２内に冷却水を循環させるための部品である。メイン制御部６１は、エンジン１２の駆動中は基本的には冷却水ポンプ１２ａを駆動し続ける。また、スタータモータ１２ｂは、エンジン１２を始動させるための部品である。従って、メイン制御部６１は、エンジン１２を始動させるタイミングでスタータモータ１２ｂを駆動し、エンジン１２の始動後はスタータモータ１２ｂを駆動しない。なお、メイン制御部６１は、シリンダに供給するガスの量等を変化させることで、エンジン１２の出力を調整することもできる。
【００３１】
メイン制御部６１は、別のハードウェアであるモータ制御部６２を介して、コンプレッサモータ１５の動作を制御する。メイン制御部６１は、コンプレッサモータ１５の動作を制御することで、コンプレッサモータ１５の駆動の有無を変化させたり、駆動時の出力を変化させたりすることができる。
【００３２】
第１ファン７１〜第３ファン７３は、室外機１０の室外熱交換器２２の近傍に設けられている。第１ファン７１〜第３ファン７３は、外気と室外熱交換器２２との熱交換の効率を上げるための部品である。従って、メイン制御部６１は、ヒートポンプ１の駆動中は基本的には、第１ファン７１〜第３ファン７３を駆動し続ける。
【００３３】
なお、本実施形態では、メイン制御部６１は、室外機１０の内部に配置されているが、室内機５０の内部に配置されていても良いし、更に別の場所に配置されていても良い。また、本実施形態では、ヒートポンプ１毎にメイン制御部６１が設けられているが、複数のヒートポンプ１を１つのメイン制御部６１で制御しても良い。
【００３４】
また、メイン制御部６１とモータ制御部６２が同じハードウェアから構成されていても良い。あるいは、メイン制御部６１が別のハードウェアを介して、エンジン１２及び第１ファン７１〜第３ファン７３を制御しても良い。
【００３５】
次に、エンジン１２又は電動コンプレッサ１６を始動する際にメイン制御部６１が各部の動作をどのように制御するかについて説明する。本実施形態の電動アクチュエータは、建物の送電線等の電力供給設備から電力が供給されている。これらの電動アクチュエータは、メイン制御部６１から所定の始動信号等を受信することで、電力供給設備の電力を用いて始動する。
【００３６】
初めに、図３を参照して、電動コンプレッサ１６が駆動していない状態でエンジン１２を始動させる場合について、説明する。図３は、この場合にメイン制御部６１が行う制御を示すタイミングチャートである。
【００３７】
また、図３及びそれ以降の図において、エンジン運転要求とは、エンジン１２と電動コンプレッサ１６の何れを優先的に駆動するか、及び、要求される空調能力等に基づいて、メイン制御部６１がエンジン１２を運転させるか否かを決定した結果を示す。同様に、電動運転要求とは、上記に基づいて、メイン制御部６１が電動コンプレッサ１６を運転させるか否かを決定した結果を示す。エンジン運転要求及び電動運転要求において、図３に示す「ＯＮ」が運転させることを示し、「ＯＦＦ」が運転させないことを示す。
【００３８】
エンジン運転要求及び電動運転要求の両方がＯＦＦである場合、図３に示す電動アクチュエータは、何れも駆動されていない。その後、エンジン運転要求がＯＮになった後に、メイン制御部６１は、初めに第１ファン７１を始動する。メイン制御部６１は、第１ファン７１の始動の完了後、つまり第１ファン７１の出力が一定になった後に、第２ファン７２を始動する。同様に、メイン制御部６１は、第２ファン７２の始動の完了後、第３ファン７３を始動する。次に、メイン制御部６１は、第３ファン７３の始動の完了後、冷却水ポンプ１２ａを始動する。一般的に電動アクチュエータは、始動時に大きな電力消費が大きい。従って、本実施形態のように、第１ファン７１〜第３ファン７３及び冷却水ポンプ１２ａの始動のタイミングを異ならせることで、電力消費が一時に集中することを防止できるので、電力消費が瞬間的に大きくなることを防止できる。
【００３９】
その後、メイン制御部６１は、第１ファン７１〜第３ファン７３及び冷却水ポンプ１２ａの駆動を一斉に停止する。電動アクチュエータの駆動の停止時には電力消費の問題は生じないため、メイン制御部６１は、これらの電動アクチュエータの駆動を一斉に停止する。メイン制御部６１は、これらの電動アクチュエータの駆動の停止の完了後に、スタータモータ１２ｂを駆動する。
【００４０】
スタータモータ１２ｂは、短時間の駆動のみが想定されている。本実施形態では、スタータモータ１２ｂを駆動してもエンジン１２が始動しない場合、メイン制御部６１は、再度スタータモータ１２ｂを駆動する。図３では、スタータモータ１２ｂを３回駆動してエンジン１２の始動に成功した例が示されている。なお、本実施形態では、エンジン運転要求がＯＦＦからＯＮになってエンジン１２の始動に関連する処理が開始した後であって、エンジン１２が実際に始動するまでのタイミングを「エンジン始動タイミング」と称する（図３を参照）。
【００４１】
エンジン１２の始動後、メイン制御部６１は、上記と同様に、第１ファン７１〜第３ファン７３及び冷却水ポンプ１２ａを順番に始動する。このように、本実施形態では、メイン制御部６１は、エンジン始動タイミングにおいて、第１ファン７１〜第３ファン７３及び冷却水ポンプ１２ａの駆動を停止することで出力を一時的に０まで低下させ、エンジン１２の始動後に出力を上昇させる（エンジン始動制御）。スタータモータ１２ｂの駆動には大きな電力が必要となるため、このエンジン始動制御を行うことにより、電力消費が一時に集中することを防止できるので、電力消費が瞬間的に大きくなることを防止できる。
【００４２】
また、エンジン始動タイミングにおける第１ファン７１〜第３ファン７３の出力は、エンジン１２の始動後の第１ファン７１〜第３ファン７３の出力よりも小さい。これにより、仮に第１ファン７１〜第３ファン７３の出力が０となる前にスタータモータ１２ｂが駆動された場合においても、電力消費が一時に集中することを防止できるので、電力消費が瞬間的に大きくなることを防止できる。
【００４３】
また、本実施形態のエンジン始動制御は、エンジン始動タイミングにおいて、電動アクチュエータの出力を下げる処理を行い、エンジン１２の始動後に、電動アクチュエータの出力を上げて元に戻す。これに代えて、エンジン始動タイミングにおいて、電動アクチュエータの出力を０の状態で維持し（即ち始動を待機し）、エンジン１２の始動後に電動アクチュエータの出力を上昇させて始動させる構成であっても良い。
【００４４】
このように、本実施形態では、電動コンプレッサ１６が駆動していない状態でのエンジン始動制御の対象が、第１ファン７１〜第３ファン７３、及び、冷却水ポンプ１２ａである。言い換えれば、エンジン始動制御の対象は、ヒートポンプ１の駆動時に駆動される電動アクチュエータと、エンジン１２の駆動時に駆動される電動アクチュエータである。なお、この状態のエンジン始動制御の対象として、電動コンプレッサ１６の駆動時に駆動される電動アクチュエータを含めても良い。
【００４５】
次に、図４を参照して、エンジン１２が駆動していない状態で電動コンプレッサ１６を始動させる場合について、説明する。図４は、この場合にメイン制御部６１が行う制御を示すタイミングチャートである。
【００４６】
電動運転要求がＯＦＦからＯＮになった場合、メイン制御部６１は、図３と同様に、第１ファン７１〜第３ファン７３を順番に、かつ、通常時よりも小さい出力となるように始動する。ここで、電動アクチュエータの通常時の出力とは、エンジン始動制御又は電動コンプレッサ始動制御等の電動アクチュエータの出力を抑える処理を行わない場合に設定される出力である。例えば、各電動アクチュエータの出力は、センサの検出値等に応じて目標値が設定されるが、その目標値の出力が通常時の出力である。あるいは、センサの検出値を用いずに電動アクチュエータの出力を一定にして駆動し続ける場合は、その出力が通常時の出力である。なお、冷却水ポンプ１２ａは、電動コンプレッサ１６の駆動中に駆動する必要がないため、始動されない。
【００４７】
メイン制御部６１は、第３ファン７３の始動が完了した後に、電動コンプレッサ１６の始動を開始する。図４に示すように、メイン制御部６１は、電動コンプレッサ１６の出力を段階的に上昇させる。本実施形態では、電動運転要求がＯＦＦからＯＮになって電動コンプレッサ１６の始動に関連する処理が開始した後であって、電動コンプレッサ１６が目標の出力となるまでのタイミングを「電動コンプレッサ始動タイミング」と称する。従って、電動コンプレッサ１６の出力を段階的に大きくして目標の出力にする場合は、目標の出力になることで電動コンプレッサ１６の始動が完了したと捉える。ここで、目標の出力とは、電動コンプレッサ１６を始動する際の目標の出力を指し、電動コンプレッサ１６の始動後に周囲の状況及び各種の要求等に基づいて変更された目標の出力を指す訳ではない。
【００４８】
メイン制御部６１は、第３ファン７３の始動が完了した後に、第１ファン７１〜第３ファン７３の出力を維持しつつ、電動コンプレッサ１６の出力を０から第１出力値まで上昇させる。第１出力値は、電動コンプレッサ１６の出力を段階的に上昇させて目標の出力（第２出力値）にする際の途中の値である。従って、第１出力値は、電動コンプレッサ１６の目標の出力である第２出力値よりも小さい。メイン制御部６１は、電動コンプレッサ１６の出力を第１出力値まで到達させた後に、電動コンプレッサ１６の出力を第１出力値に維持しつつ、第１ファン７１〜第３ファン７３を同時に、通常時の出力まで上昇させる。メイン制御部６１は、第１ファン７１〜第３ファン７３の出力が通常時の出力となった後に、電動コンプレッサ１６の出力を目標の出力まで上昇させる。
【００４９】
電動コンプレッサ１６を始動するために必要な電力は、スタータモータ１２ｂを駆動するために必要な電力よりも小さい。そのため、電動コンプレッサ１６の始動タイミングにおいては、電動コンプレッサ１６の出力を０から上昇させる際においても、メイン制御部６１は、第１ファン７１〜第３ファン７３を駆動させている。ただし、電動コンプレッサ始動タイミングにおける、第１ファン７１〜第３ファン７３の出力は通常時より小さい。このように、電動コンプレッサ始動タイミングにおいて、電動アクチュエータの出力を通常時よりも低くすることで、電力消費が一時に集中することを防止できるので、電力消費が瞬間的に大きくなることを防止できる。
【００５０】
次に、図５を参照して、電動コンプレッサ１６が駆動している状態でエンジン１２を始動させる場合について、説明する。図５は、この場合にメイン制御部６１が行う制御を示すタイミングチャートである。
【００５１】
エンジン運転要求がＯＮになる前の状態における、各部の駆動状態は、図４の電動コンプレッサ１６の始動後と同じである。この状態から、エンジン運転要求がＯＮになることで、メイン制御部６１は、第１ファン７１〜第３ファン７３の駆動を停止すると同時に、電動コンプレッサ１６の出力を低下させる。メイン制御部６１は、第１ファン７１〜第３ファン７３の駆動の停止、及び、電動コンプレッサ１６の出力の低下が完了した後に、スタータモータ１２ｂを駆動する。ただし、メイン制御部６１は、エンジン運転要求がＯＮになった後、第１ファン７１〜第３ファン７３の一部又は全部の出力を所定の出力値（≠０）まで低下させてもよい。
【００５２】
スタータモータ１２ｂを駆動することでエンジン１２が始動した後に、メイン制御部６１は、第１ファン７１〜第３ファン７３の出力を同時に、通常時に出力に戻す。メイン制御部６１は、第１ファン７１〜第３ファン７３の全てについて出力が通常時の出力に戻った後に、電動コンプレッサ１６の出力を、エンジン運転要求がＯＮになった直後の出力である、直近の目標の出力まで戻す。
【００５３】
このように、本実施形態では、メイン制御部６１は、エンジン始動タイミングにおいて、第１ファン７１〜第３ファン７３の駆動を停止することで第１ファン７１〜第３ファン７３の出力を一時的に０まで低下させるとともに、電動コンプレッサ１６の出力を一時的に所定の値まで低下させ、エンジン１２の始動後に出力を上昇させる（エンジン始動制御）。
【００５４】
電動運転要求がＯＮの状態でエンジン１２が始動する場合（図５）において、メイン制御部６１は、第１ファン７１〜第３ファン７３を順番に始動する制御を行っても良い。逆に、電動運転要求がＯＦＦの状態でエンジン１２が始動する場合（図３）において、メイン制御部６１は、第１ファン７１〜第３ファン７３を一斉に始動する制御を行っても良い。
【００５５】
このように、本実施形態では、電動コンプレッサ１６が駆動している状態でのエンジン始動制御の対象は、第１ファン７１〜第３ファン７３、及び、電動コンプレッサ１６であるが、エンジン始動制御の対象として、第１ファン７１〜第３ファン７３を外しても良いし、別の電動アクチュエータを加えても良いし、電動コンプレッサ１６を外しても良い。
【００５６】
次に、図６を参照して、エンジン１２が駆動している状態で電動コンプレッサ１６を始動させる場合について、説明する。図６は、この場合にメイン制御部６１が行う制御を示すタイミングチャートである。
【００５７】
電動運転要求がＯＦＦの状態における、各部の駆動状態は、図３のエンジン１２の始動後と同じである。この状態から、電動運転要求がＯＮになることで、メイン制御部６１は、第１ファン７１〜第３ファン７３の駆動を一斉に停止して出力を０にする。なお、冷却水ポンプ１２ａについては、必要な電力が第１ファン７１〜第３ファン７３よりも小さく、影響が小さいため、通常時と同じ出力を維持する。
【００５８】
メイン制御部６１は、第１ファン７１〜第３ファン７３の全ての駆動を停止した後に、電動コンプレッサ１６の出力を上昇させる。このとき、図４と異なり、電動コンプレッサ１６を段階的ではなく、目標の出力まで一度に上昇させる。メイン制御部６１は、電動コンプレッサ１６の出力が目標の出力まで上昇した後に、第１ファン７１〜第３ファン７３を順番に始動して通常時に出力まで上昇させる。
【００５９】
このように、本実施形態では、メイン制御部６１は、電動コンプレッサ始動タイミングにおいて、第１ファン７１〜第３ファン７３の駆動を停止することで出力を一時的に０まで低下させ、電動コンプレッサ１６の始動後に出力を上昇させる（電動コンプレッサ始動制御）。これにより、必要な電力が大きくなる、電動コンプレッサ１６の始動時において、第１ファン７１〜第３ファン７３が停止しているため、電力消費が一時に集中することを防止できるので、電力消費が瞬間的に大きくなることを防止できる。
【００６０】
以上に説明したように、本実施形態のヒートポンプ１は、エンジン１２と、電動コンプレッサ１６と、コンプレッサモータ１５及び電動コンプレッサ１６以外の電動アクチュエータと、メイン制御部６１と、を備える。エンジン１２は、スタータモータ１２ｂによって始動されるとともに、エンジン駆動コンプレッサ１３を駆動する。電動コンプレッサ１６は、コンプレッサモータによって駆動される。メイン制御部６１は、エンジン始動タイミングにおいて、電動コンプレッサ１６及び電動アクチュエータのうち少なくとも何れかについて、出力を低下させるか出力を維持し、当該エンジン１２の始動後に出力を上昇させるエンジン始動制御と、電動コンプレッサ１６の始動タイミングにおいて、電動アクチュエータについて、出力を低下させるか出力を維持し、当該電動コンプレッサ１６の始動後に出力を上昇させる電動コンプレッサ始動制御と、の制御を行う。
【００６１】
上記の構成によれば、エンジン始動タイミング又は電動コンプレッサ始動タイミングにおいて、電動アクチュエータ及び／又は電動コンプレッサ１６の出力を低下させたり出力を通常時よりも低く維持したりすることにより、電力消費が一時に集中することを防止できるので、瞬間的な電力消費を抑えることができる。一般に、電力消費が瞬間的にしか大きくならない場合であっても、電力消費の大きさに応じた設備が必要となる。また、電気契約は、比較的短い期間（例えば数分から１時間程度）の最大の電力に応じて契約電力が定められることがある。従って、本実施形態のヒートポンプ１のように、電力消費が瞬間的に大きくなることを防止するだけで、電力コストを大幅に削減することができる。
【００６２】
また、本実施形態のヒートポンプ１において、エンジン始動制御を行う場合は、エンジン始動タイミングにおいて、駆動中の電動コンプレッサ１６及び電動アクチュエータのうち少なくとも何れかについて出力を一時的に低下させる。電動コンプレッサ始動制御を行う場合は、電動コンプレッサ１６の始動タイミングにおいて、駆動中の電動アクチュエータの出力を一時的に低下させる。
【００６３】
これにより、電動コンプレッサ１６又は電動アクチュエータが駆動中であっても、一時的に出力を低下させることで、電力消費が一時に集中することを防止できるので、瞬間的な電力消費を抑えることができる。
【００６４】
また、本実施形態のヒートポンプ１において、電動アクチュエータには、熱交換を行うための第１ファン７１〜第３ファン７３が含まれている。メイン制御部６１は、エンジン始動制御及び電動コンプレッサ始動制御の少なくとも何れかを行う際において、エンジン１２又は電動コンプレッサ１６の始動後に、第１ファン７１の出力を上昇させた後に、第２ファン７２の出力を上昇させ、次に、第３ファン７３の出力を上昇させる。
【００６５】
これにより、複数のファンの出力を上昇させるタイミングを異ならせることで、電力消費が一時に集中することを防止できるので、瞬間的な電力消費を一層抑えることができる。
【００６６】
以上に本発明の好適な実施の形態を説明したが、上記の構成は例えば以下のように変更することができる。
【００６７】
電動コンプレッサ１６が駆動していない状態でエンジン１２を始動させる場合（図３）において、エンジン始動タイミングで第１ファン７１〜第３ファン７３、及び、冷却水ポンプ１２ａ等の電動アクチュエータを始動する処理を省略できる。この場合、これらの電動アクチュエータは、エンジン始動タイミングにおいて、出力を０で維持し、エンジン１２の始動後に出力を上昇させることとなる（エンジン始動制御）。
【００６８】
エンジン１２が駆動していない状態で電動コンプレッサ１６を始動させる場合（図４）において、電動コンプレッサ始動タイミングにおいて、図３と同様に、第１ファン７１〜第３ファン７３等の電動アクチュエータの出力を一時的に上昇させた後に低下させ、電動コンプレッサ１６の始動後に電動アクチュエータの出力を上昇させても良い（電動コンプレッサ始動制御）。また、電動コンプレッサ始動タイミングにおいて、出力を０で維持し、電動コンプレッサ１６の始動後に出力を上昇させても良い。
【００６９】
電動コンプレッサ１６が駆動している状態でエンジン１２を始動させる場合（図５）において、電動コンプレッサ１６の駆動時に駆動される電動アクチュエータがある場合、エンジン始動タイミングにおいて、この電動アクチュエータの出力を０で維持するか、出力を低下させて、エンジン１２の始動後に出力を上昇させても良い。また、電動コンプレッサ１６の始動時に出力を段階的に上昇させても良い。また、電動コンプレッサ１６の出力を、電動アクチュエータよりも前に上昇させても良い。
【００７０】
エンジン１２が駆動している状態で電動コンプレッサ１６を始動させる場合（図６）において、エンジン始動タイミングにおいて、冷却水ポンプ１２ａの出力を一時的に０にするか、又は通常時よりも小さい所定の出力値（≠０）まで低下させても良い。
【００７１】
上記実施形態では、エンジン始動制御及び電動コンプレッサ始動制御において、電動アクチュエータの出力を０まで低下させるが（図３、図５、及び図６）、０ではない値まで出力を低下させても良い。また、上記実施形態では、エンジン始動制御において、電動コンプレッサ１６の出力を０ではない値まで出力を低下させるが（図５）、電動コンプレッサ１６の出力を０まで低下させても良い。この場合、電動コンプレッサ１６が再び始動されることとなるので、その際に、再度電動コンプレッサ始動制御を行っても良い。
【００７２】
上記実施形態では、第１ファン７１〜第３ファン７３を１つずつ始動する例を説明したが（図３、図４、及び図６）、最初に第１ファン７１及び第２ファン７２を同時に始動し、その後に第３ファン７３を始動しても良いし、最初に第１ファン７１を始動し、その後に第２ファン７２及び第３ファン７３を同時に始動しても良い。また、ファンの個数によっては、複数ずつ始動しても良い。
【００７３】
上記実施形態で説明した電動アクチュエータは一例であり、別の電動アクチュエータに対して、エンジン始動制御及び電動コンプレッサ始動制御の少なくとも一方を行うことができる。別の電動アクチュエータとしては、例えば、ヒートポンプ１の各部を温めるヒータを挙げることができる。
【００７４】
上記実施形態のヒートポンプ１は、エンジン始動制御と電動コンプレッサ始動制御の両方を行うが、一方のみを行う構成であっても良い。
【００７５】
上記実施形態では、ヒートポンプ１を空気調和器に適用する例について説明したが、別の構成に適用することもできる。例えば、ヒートポンプ１は、冷凍器又は給湯器等に適用することができる。
【符号の説明】
【００７６】
１  ヒートポンプ
１０  室外機
１２  エンジン
１３  エンジン駆動コンプレッサ
１５  コンプレッサモータ
１６  電動コンプレッサ
１２ａ  冷却水ポンプ（電動アクチュエータ）
６１  メイン制御部（制御部）
７１  第１ファン（電動アクチュエータ）
７２  第２ファン（電動アクチュエータ）
７３  第３ファン（電動アクチュエータ）
【図１】
2018162948.tif 000003
【図２】
2018162948.tif 000004
【図３】
2018162948.tif 000005
【図４】
2018162948.tif 000006
【図５】
2018162948.tif 000007
【図６】
2018162948.tif 000008